(57)【要約】      （修正有）【課題】フィルター部が残滓で塞がれて排水口が詰まることによって、シンク、浴室等が水で溢れることを未然に防止するスタレーナーを提供する。【解決手段】詰まり無しストレーナー１は、シンク，浴室等の排水口の周囲面に載置される環状平面板部１１と、排水口より小さな外形を有し、環状平面板部１１より下位に窪み、多数の透孔１２ａが穿設された孔付領域でなる第１フィルター部１２と、環状平面板部１１より上位に突出し、多数の透孔１３ａが穿設された孔付領域でなる第２フィルター部１３とを備え、環状平面板部１１が排水口の周囲面に載置されるとともに、第１フィルター部１２が排水口に嵌入して配置され、残滓が第１フィルター部１２に沈下して堆積することにより、第２フィルター部１３が残滓で覆われることを未然に防止する。【選択図】図１
0003169778.tif 000002
【実用新案登録請求の範囲】
【請求項１】
排水口の周囲面に載置される環状平面板部と、
前記排水口より小さな外形を有し、前記環状平面板部より下位に窪み、多数の透孔が穿設された孔付領域でなる第１フィルター部と、
前記環状平面板部より上位に突出し、多数の透孔が穿設された孔付領域でなる第２フィルター部とを備え、
前記環状平面板部が前記排水口の周囲面に載置されるとともに前記第１フィルター部が前記排水口に嵌入して配置されるようにしたことを特徴とする詰まり無しストレーナー。
【請求項２】
円環状の平面板で形成された環状平面板部と、
多数の透孔が穿設された円板状に形成された第１フィルター部と、
前記環状平面板部と前記第１フィルター部との境界線に沿ってほぼ半周にわたって次第に細くなる「コンマ」字状に形成され、最も厚い基端部から最も薄い末端部に向けて高さが次第に低くなる第２フィルター部とを備え、
前記環状平面板部が前記排水口の周囲面に載置されるとともに前記第１フィルター部が前記排水口に嵌入して配置されるようにしたことを特徴とする詰まり無しストレーナー。
【請求項３】
円環状の平面板で形成された環状平面板部と、
排水栓のノブの幅よりも大きい中央間隙を介して相対する一対の弓形に形成され、底面に多数の透孔が穿設されているとともに周側面に多数の縦長孔が穿設されている第１フィルター部と、
前記中央間隙と対応する位置に前記環状平面板部の両側部分を跨ぐように、かつ前記環状平面板部から円弧面状に盛り上げられて形成され、円弧面には多数の透孔が穿設されているとともに、前記第１フィルター部と連結する両側面には多数の縦長孔が穿設されている第２フィルター部とを備え、
前記環状平面板部が前記排水口の周囲面に載置されるとともに前記第１フィルター部が前記排水口に嵌入して配置されるようにしたことを特徴とする詰まり無しストレーナー。
【請求項４】
円環状の平面板で形成された環状平面板部と、
球面状の窪みとして形成され多数の透孔が穿設された第１フィルター部と、
前記環状平面板部の一側部に四半円球面状に突出するように形成され、多数の透孔が穿設されているとともに、前記第１フィルター部に連結する湾曲側面に多数の縦長孔が穿設されている第２フィルター部とを備え、
前記環状平面板部が前記排水口の周囲面に載置されるとともに前記第１フィルター部が前記排水口に嵌入して配置されるようにしたことを特徴とする詰まり無しストレーナー。
【考案の詳細な説明】
【技術分野】
【０００１】
本考案は詰まり無しストレーナーに関し、より詳しくはシンク，浴室等の底面（フロアー）の排水口に配置される詰まり無しストレーナーに関する。
【背景技術】
【０００２】
従来のストレーナーは、シンク，浴室等の底面より下位に、あるいはシンク，浴室等の底面より上位にフィルター部を形成するようになっていた。例えば、特許文献１ないし４には、フィルターがシンク，浴室等の底面より下位に形成されたストレーナーが開示されている。
【０００３】
一方、例えば、特許文献５および６には、フィルター部がシンク，浴室等の底面より上位に形成されているストレーナーが開示されている。
【先行技術文献】
【特許文献】
【０００４】
【特許文献１】実願平５−４７０８９号（実開平７−８４６７号）のＣＤ−ＲＯＭ
【特許文献２】実願昭４９−６３８９０号（実開昭５０−１５２４６０号）のマイクロフィルム
【特許文献３】特開２００５−１７１７１６号公報
【特許文献４】実願平２−８７３８０号（実開平４−４６１６９号）のマイクロフィルム
【特許文献５】米国特許第１９０３３６６号明細書
【特許文献６】特開２００１−３５５２６４号公報
【考案の開示】
【考案が解決しようとする課題】
【０００５】
しかしながら、特許文献１ないし４に開示されたストレーナーでは、残滓がストレーナーに沈下して堆積すると、フィルター部を塞いで排水口が詰まることにより、シンク，浴室等が水で溢れるという問題点があった。
【０００６】
また、特許文献５および６に開示されたストレーナーでは、残滓がフィルター部で滞留するときに、フィルター部を塞いで排水口が詰まることにより、シンク，浴室等が水で溢れるという問題点があった。
【０００７】
本考案の目的は、上述の点に鑑み、シンク，浴室等の底面より下位に窪んだ第１フィルター部と、シンク，浴室等の底面より上位に突出した第２フィルター部とを備え、残滓による排水口の詰まりを解消するようにした詰まり無しストレーナーを提供することにある。
【課題を解決するための手段】
【０００８】
請求項１記載の詰まり無しストレーナーは、排水口の周囲面に載置される環状平面板部と、前記排水口より小さな外形を有し、前記環状平面板部より下位に窪み、多数の透孔が穿設された孔付領域でなる第１フィルター部と、前記環状平面板部より上位に突出し、多数の透孔が穿設された孔付領域でなる第２フィルター部とを備え、前記環状平面板部が前記排水口の周囲面に載置されるとともに前記第１フィルター部が前記排水口に嵌入して配置されるようにしたことを特徴とする。
【０００９】
請求項２記載の詰まり無しストレーナーは、円環状の平面板で形成された環状平面板部と、多数の透孔が穿設された円板状に形成された第１フィルター部と、前記環状平面板部と前記第１フィルター部との境界線に沿ってほぼ半周にわたって次第に細くなる「コンマ」字状に形成され、最も厚い基端部から最も薄い末端部に向けて高さが次第に低くなる第２フィルター部とを備え、  前記環状平面板部が前記排水口の周囲面に載置されるとともに前記第１フィルター部が前記排水口に嵌入して配置されるようにしたことを特徴とする。
【００１０】
請求項３記載の詰まり無しストレーナーは、円環状の平面板で形成された環状平面板部と、排水栓のノブの幅よりも大きい中央間隙を介して相対する一対の弓形に形成され、底面に多数の透孔が穿設されているとともに周側面に多数の縦長孔が穿設されている第１フィルター部と、前記中央間隙と対応する位置に前記環状平面板部の両側部分を跨ぐように、かつ前記環状平面板部から円弧面状に盛り上げられて形成され、円弧面には多数の透孔が穿設されているとともに、前記第１フィルター部と連結する両側面には多数の縦長孔が穿設されている第２フィルター部とを備え、前記環状平面板部が前記排水口の周囲面に載置されるとともに前記第１フィルター部が前記排水口に嵌入して配置されるようにしたことを特徴とする。
【００１１】
請求項４記載の詰まり無しストレーナーは、円環状の平面板で形成された環状平面板部と、球面状の窪みとして形成され多数の透孔が穿設された第１フィルター部と、前記環状平面板部の一側部に四半円球面状に突出するように形成され、多数の透孔が穿設されているとともに、前記第１フィルター部に連結する湾曲側面に多数の縦長孔が穿設されている第２フィルター部とを備え、  前記環状平面板部が前記排水口の周囲面に載置されるとともに前記第１フィルター部が前記排水口に嵌入して配置されるようにしたことを特徴とする。
【考案の効果】
【００１２】
請求項１記載の詰まり無しストレーナーによれば、排水口の周囲面に載置される環状平面板部と、排水口より小さな外形を有し、環状平面板部より下位に窪み、多数の透孔が穿設された孔付領域でなる第１フィルター部と、環状平面板部より上位に突出し、多数の透孔が穿設された孔付領域でなる第２フィルター部とを備え、環状平面板部が排水口の周囲面に載置されるとともに第１フィルター部が排水口に嵌入して配置されるようにしたことにより、残滓が第１フィルター部に沈下して堆積しても、第２フィルター部が残滓で覆われることを未然に防止することができ、排水口が詰まってシンク，浴室等が水で溢れるということがなくなるという効果がある。
【００１３】
請求項２記載の詰まり無しストレーナーによれば、円環状の平面板で形成された環状平面板部と、多数の透孔が穿設された円板状に形成された第１フィルター部と、環状平面板部と第１フィルター部との境界線に沿ってほぼ半周にわたって次第に細くなる「コンマ」字状に形成され、最も厚い基端部から最も薄い末端部に向けて高さが次第に低くなる第２フィルター部とを備え、  環状平面板部が排水口の周囲面に載置されるとともに第１フィルター部が排水口に嵌入して配置されるようにしたことにより、残滓が第１フィルター部に沈下して堆積しても、第２フィルター部が残滓で覆われることを未然に防止することができ、排水口が詰まってシンク，浴室等が水で溢れるということがなくなるという効果がある。
【００１４】
請求項３記載の詰まり無しストレーナーは、円環状の平面板で形成された環状平面板部と、排水栓のノブの幅よりも大きい中央間隙を介して相対する一対の弓形に形成され、底面に多数の透孔が穿設されているとともに周側面に多数の縦長孔が穿設されている第１フィルター部と、中央間隙と対応する位置に環状平面板部の両側部分を跨ぐように、かつ環状平面板部から円弧面状に盛り上げられて形成され、円弧面には多数の透孔が穿設されているとともに、第１フィルター部と連結する両側面には多数の縦長孔が穿設されている第２フィルター部とを備え、環状平面板部が排水口の周囲面に載置されるとともに第１フィルター部が排水口に嵌入して配置されるようにしたことにより、残滓が第１フィルター部に沈下して堆積しても、第２フィルター部が残滓で覆われることを未然に防止することができ、排水口が詰まってシンク，浴室等が水で溢れるということがなくなるという効果がある。
【００１５】
請求項４記載の詰まり無しストレーナーは、円環状の平面板で形成された環状平面板部と、球面状の窪みとして形成され多数の透孔が穿設された第１フィルター部と、環状平面板部の一側部に四半円球面状に突出するように形成され、多数の透孔が穿設されているとともに、第１フィルター部に連結する湾曲側面に多数の縦長孔が穿設されている第２フィルター部とを備え、環状平面板部が排水口の周囲面に載置されるとともに第１フィルター部が排水口に嵌入して配置されるようにしたことにより、残滓が第１フィルター部に沈下して堆積しても、第２フィルター部が残滓で覆われることを未然に防止することができ、排水口が詰まってシンク，浴室等が水で溢れるということがなくなるという効果がある。
【図面の簡単な説明】
【００１６】
【図１】（ａ）ないし（ｃ）は本考案の実施例１に係る詰まり無しストレーナーの平面図、正面図および斜視図である。
【図２】実施例１に係る詰まり無しストレーナーの作用および効果を説明する要部断面図である。
【図３】（ａ）ないし（ｄ）は本考案の実施例２に係る詰まり無しストレーナーの平面図、正面図、側面図および斜視図である。
【図４】実施例２に係る詰まり無しストレーナーの作用および効果を説明する要部断面図である。
【図５】（ａ）ないし（ｅ）は本考案の実施例３に係る詰まり無しストレーナーの平面図、正面図、側面図、裏面図および斜視図である。
【図６】実施例３に係る詰まり無しストレーナーの作用および効果を説明する要部断面図である。
【考案を実施するための形態】
【００１７】
以下、本考案の各実施例について、図面を参照しながら詳細に説明する。
【実施例１】
【００１８】
図１（ａ）ないし（ｃ）は、本考案の実施例１に係る詰まり無しストレーナー１を示す平面図、正面図および斜視図である。本実施例１に係る詰まり無しストレーナー１は、シンクＳ（図２参照）等の排水口Ｄ（図２参照）の周囲面Ｐ（図２参照）に載置される環状平面板部１１と、排水口Ｄより小さな外形を有し環状平面板部１１より下位に窪んだ孔付領域でなる第１フィルター部１２と、環状平面板部１１より上位に突出した孔付領域でなる第２フィルター部１３とを備えて構成されている。
【００１９】
環状平面板部１１は、円環状の平面板で形成され、多数の透孔１１ａが穿設されているとともに、リム１１ｂが一段下がったように形成されている。なお、環状とは、円環状のみを意味するものではなく、四角環状、六角環状等の他の環状であってもよいことはいうまでもない（以下同様）。
【００２０】
第１フィルター部１２は、多数の透孔１２ａが穿設された円板状に形成され、第１フィルター部１２と環状平面板部１１とを連結する内周側面には多数の縦長孔１２ｂが穿設されている。
【００２１】
第２フィルター部１３は、環状平面板部１１と第１フィルター部１２との境界線に沿って１２時位置から６時位置に向けてほぼ半周にわたって次第に細くなる「コンマ」字状に形成され、最も厚い基端部から最も薄い末端部に向けて高さが次第に低くなるようになっている。
【００２２】
図２は、実施例１に係る詰まり無しストレーナー１をシンクＳの排水口Ｄの周囲面Ｐに載置した状態を示す断面図である。排水パイプＷの上端である排水口Ｄに第１フィルター部１２が嵌入するように、環状平面板部１１が排水口Ｄの周囲面Ｐに載置されている。この状態では、第１フィルター部１２は周囲面Ｐより下位に位置し、第２フィルター部１３は周囲面Ｐより上位に位置している。
【００２３】
次に、このように構成された実施例１に係る詰まり無しストレーナー１の作用および効果について説明する。
【００２４】
残滓Ｒは、水の流れとともに詰まり無しストレーナー１に集まり、排水口Ｄの周囲面Ｐより上位に位置する第２フィルター部１３に沿って螺旋状に渦を巻きながら排水口Ｄの周囲面Ｐより下位に位置する第１フィルター部１２に流れ込む。これにより、水が第１フィルター部１２の透孔１２ａおよび縦長孔１２ｂならびに第２フィルター部１３の縦長孔１３ｂを通じて排出口Ｄに排出されるとともに、残滓Ｒが第１フィルター部１２に沈下して堆積する。
【００２５】
そして、図２に示すように、残滓Ｒが第１フィルター部１２に堆積されて第１フィルター部１２の透孔１２ａおよび縦長孔１２ｂが塞がれたとしても、第２フィルター部１３の縦長孔１３ｂおよび透孔１２ａが周囲面Ｐよりも上位に位置しているので、水は第２フィルター部１３の縦長孔１３ｂおよび透孔１３ａを通して排水口Ｄに流れることができ、排水口Ｄが残滓Ｒで詰まってシンクＳが水で溢れるということはない。
【００２６】
このように、実施例１に係る詰まり無しストレーナー１によれば、環状平面板部１１が排水口Ｄの周囲面Ｐに載置されるとともに、第１フィルター部１２がシンクＳの排水口Ｄに嵌入して配置されている状態では、第２フィルター部１３が周囲面Ｐよりも上位に位置しているので、残滓Ｒが第１フィルター部１２に沈下して堆積されたとしても、第２フィルター部１３が残滓Ｒで覆われることが未然に防止されるため、排水口Ｄが残滓Ｒで詰まってシンクＳが水で溢れるということがない。
【実施例２】
【００２７】
図３（ａ）ないし（ｄ）は、本考案の実施例２に係る詰まり無しストレーナー２を示す平面図、正面図、側面図および斜視図である。本実施例２に係る詰まり無しストレーナー２は、シンクＳ（図４参照）の排水口Ｄ（図４参照）の周囲面Ｐ（図４参照）に載置される環状平面板部２１と、シンクＳの排水口Ｄより小さな外形を有し、環状平面板部２１より下位に窪んだ孔付領域でなる第１フィルター部２２と、環状平面板部２１より上位に突出した孔付領域でなる第２フィルター部２３とを備えている。
【００２８】
環状平面板部２１は、円環状の平面板で形成され、多数の透孔２１ａが穿設されているとともに、リム２１ｂが一段下がったように形成されている。
【００２９】
第１フィルター部２２は、中央間隙２４（図３（ｃ）参照）を介して相対する一対の弓形に形成され、第１フィルター部２２の底面には多数の透孔２２ａが穿設されているとともに、第１フィルター部２２の周側面には多数の縦長孔２２ｂが穿設されている。中央間隙２４の幅は、排水栓ＷＰのノブＷＰ１（図４参照）の幅よりも大きく形成されている。
【００３０】
第２フィルター部２３は、中央間隙２４と対応する位置に環状平面板部２１の両側部分を跨ぐように、かつ環状平面板部２１から円弧面状に盛り上げられて形成されている。第２フィルター部２３の円弧面には、多数の透孔２３ａが穿設されているとともに、第２フィルター部２３と第１フィルター部２２とを連結する両側面には、多数の縦長孔２３ｂが穿設され、第１フィルター部２２の縦長孔２２ｂと連通されている。
【００３１】
図４は、実施例２に係る詰まり無しストレーナー２をシンクＳの排水口Ｄに載置した状態を示す断面図である。排水パイプＷの上端である排水口Ｄに取り付けられた排水栓ＷＰに第１フィルター部２２が嵌入するように、環状平面板部２１が排水口Ｄの周囲面Ｐに載置されている。この状態では、第１フィルター部２２は周囲面Ｐより下位に位置し、第２フィルター部２３は周囲面Ｐより上位に位置している。また、排水栓ＷＰのノブＷＰ１が第１フィルター部２２の中央間隙２４に遊嵌されている。このため、排水口Ｄに排水栓ＷＰが取り付けられていても、詰まり無しストレーナー２を排水口Ｄに配置するときに障害となることはない。
【００３２】
次に、このように構成された実施例２に係る詰まり無しストレーナー２の作用および効果について説明する。
【００３３】
残滓Ｒは、水の流れとともに詰まり無しストレーナー２に集まり、第２フィルター部２３を避けながら第１フィルター部２２に流れ込み、水だけが第１フィルター部２２の透孔２２ａおよび縦長孔２２ｂならびに第２フィルター部２３の縦長孔２３ｂを通じて排水口Ｄに排出される。このため、第１フィルター部２２に残滓Ｒが沈下して堆積される。
【００３４】
そして、図４に示すように、第１フィルター部２２に残滓Ｒが堆積されて透孔２２ａおよび縦長孔２２ｂが塞がれたとしても、第２フィルター部２３が周囲面Ｐよりも上位に位置しているので、水は第２フィルター部２３の縦長孔２３ｂおよび透孔２３ａを通して排水口Ｄに流れることができ、排水口Ｄが残滓Ｒで詰まってシンクＳが水で溢れるということはない。
【００３５】
このように、実施例２に係る詰まり無しストレーナー２によれば、環状平面板部２１が排水口Ｄの周囲面Ｐに載置されるとともに、第１フィルター部２２がシンクＳの排水口Ｄに嵌入して配置されている状態では、第２フィルター部２３が周囲面Ｐよりも上位に位置しているので、残滓Ｒが第１フィルター部２２に沈下して堆積されたとしても、第２フィルター部２３が残滓Ｒで覆われることが未然に防止されるため、排水口Ｄが残滓Ｒで詰まってシンクＳが水で溢れるということがない。
【実施例３】
【００３６】
図５（ａ）ないし（ｅ）は、実施例３に係る詰まり無しストレーナー３の平面図、正面図、側面図、底面図および斜視図である。実施例３に係る詰まり無しストレーナー３は、浴室等の排水口Ｄ（図６参照）の周囲面Ｐ（図６参照）に載置される環状平面板部３１と、浴室等の排水口Ｄより小さな外形を有し、環状平面板部３１より下位に窪み、多数の透孔３１ａが穿設された孔付領域でなる第１フィルター部３２と、環状平面板部３１より上位に突出し、多数の透孔３３ａが穿設された孔付領域でなる第２フィルター部３３と、第１フィルター部３２を囲うように環状平面板部３１より下方に突設された円弧面壁３４とを備えて構成されている。
【００３７】
環状平面板部３１は、円環状の平面板で形成され、多数の透孔３１ａが穿設されているとともに、リム３１ｂが一段下がったように形成されている。
【００３８】
第１フィルター部３２は、中央に球面状の窪みとして形成され、第１フィルター部３２の球状面には多数の透孔３２ａが穿設されている。
【００３９】
第２フィルター部３３は、環状平面板部３１の一側部に四半円球面状に突出するように形成され、多数の透孔３３ａが穿設されている。また、第２フィルター部３３の、第１フィルター部３２に連結する湾曲側面には、多数の縦長孔３３ｂが穿設されている。
【００４０】
円弧面壁３４は、浴室等の排水口Ｄに取り付けられたフロアートラップＦＴから孔付きカバーＦＴ１を取り除いた孔に嵌入する大きさに形成されている。
【００４１】
図６は、実施例３に係る詰まり無しストレーナー３を、浴室等の排水口Ｄに取り付けられたフロアートラップＦＴから孔付きカバーＦＴ１を取り除いて配置した状態を示す断面図である。この状態では、詰まり無しストレーナー３の円弧面壁３４が、浴室等の排水口Ｄに取り付けられたフロアートラップＦＴから孔付きカバーＦＴ１を取り除いた孔に嵌入されているので、第１フィルター部３２が浴室等の周囲面Ｐより上位に位置し、第２フィルター部３３が周囲面Ｐより上位に位置している。
【００４２】
次に、このように構成された実施例３に係る詰まり無しストレーナー３の作用および効果について説明する。
【００４３】
残滓Ｒは、水の流れとともに詰まり無しストレーナー３に集まり、第２フィルター部３３を避けながら第１フィルター部３２に流れ込み、水だけが第１フィルター部３２の透孔３２ａを通じて排水口Ｄに排出され、残滓Ｒが第１フィルター部３２に沈下して堆積される。
【００４４】
そして、例え、第１フィルター部３２に残滓Ｒが堆積されて透孔３２ａが塞がれたとしても、第２フィルター部３３が周囲面Ｐよりも上位に位置しているので、水は第２フィルター部３３の縦長孔３３ｂおよび透孔３３ａを通して排水口Ｄに流れることができ、排水口Ｄが残滓Ｒで詰まって浴室等が水で溢れるということはない。
【００４５】
このように、実施例３に係る詰まり無しストレーナー３によれば、環状平面板部３１が浴室等の排水口Ｄに取り付けられたフロアートラップＦＴから孔付きカバーＦＴ１を取り除いた孔の周囲面に載置されるとともに、第１フィルター部３２が排水口Ｄに嵌入して配置された状態では、第２フィルター部３３が周囲面Ｐよりも上位に位置しているので、残滓Ｒが第１フィルター部３２に沈下して堆積されたとしても、第２フィルター部３３が残滓Ｒで覆われることが未然に防止されるため、排水口Ｄが残滓Ｒで詰まってシンクＳが水で溢れるということがない。
【００４６】
以上、本考案の各実施例について説明したが、これらはあくまでも例示にすぎず、本考案はこれらに限定されるものではなく、実用新案登録請求の範囲の趣旨を逸脱しない限りにおいて、当業者の知識に基づく種々の変更が可能である。
【符号の説明】
【００４７】
１，２，３  詰まり無しストレーナー
１１，２１，３１  環状平面板部
１１ａ，２１ａ，３１ａ  透孔
１１ｂ，２１ｂ，３１ｂ  リム
１２，２２，３２  第１フィルター部
１２ａ，２２ａ，３２ａ  透孔
１２ｂ，２２ｂ  縦長孔
１３，２３，３３  第２フィルター部
１３ａ，２３ａ，３３ａ  透孔
１３ｂ，２３ｂ，３３ｂ  縦長孔
Ｄ  排水口
Ｐ  周囲面
Ｓ  シンク
【図１】
0003169778.tif 000003
【図２】
0003169778.tif 000004
【図３】
0003169778.tif 000005
【図４】
0003169778.tif 000006
【図５】
0003169778.tif 000007
【図６】
0003169778.tif 000008
【手続補正書】
【提出日】平成23年6月22日(2011.6.22)
【手続補正１】
【補正対象書類名】実用新案登録請求の範囲
【補正対象項目名】全文
【補正方法】変更
【補正の内容】
【実用新案登録請求の範囲】
【請求項１】
排水口の周囲面に載置される環状平面板部と、
前記排水口より小さな外形を有し、前記環状平面板部より下位に窪み、多数の透孔が穿設された孔付領域でなる第１フィルター部と、
前記環状平面板部より上位に突出し、多数の透孔が穿設された孔付領域でなる第２フィルター部とを備え、
前記環状平面板部が前記排水口の周囲面に載置されるとともに前記第１フィルター部が前記排水口に嵌入して配置されるようにしたことを特徴とする詰まり無しストレーナー。
【請求項２】
排水口の周囲面に載置される円環状の平面板で形成された環状平面板部と、
前記排水口より小さな外形を有し、前記環状平面板部より下位に窪み、多数の透孔が穿設された円板状に形成された第１フィルター部と、
前記環状平面板部より上位に突出し、前記環状平面板部と前記第１フィルター部との境界線に沿ってほぼ半周にわたって次第に細くなる「コンマ」字状に形成され、最も太い基端部から最も細い末端部に向けて高さが次第に低くなる第２フィルター部とを備え、
前記環状平面板部が前記排水口の周囲面に載置されるとともに前記第１フィルター部が前記排水口に嵌入して配置されるようにしたことを特徴とする詰まり無しストレーナー。
【請求項３】
排水口の周囲面に載置される円環状の平面板で形成された環状平面板部と、
前記排水口より小さな外形を有し、前記環状平面板部より下位に窪み、排水栓のノブの幅よりも大きい中央間隙を介して相対する一対の弓形に形成され、底面に多数の透孔が穿設されているとともに周側面に多数の縦長孔が穿設されている第１フィルター部と、
前記環状平面板部より上位に突出し、前記中央間隙と対応する位置に前記環状平面板部の両側部分を跨ぐように、かつ前記環状平面板部から円弧面状に盛り上げられて形成され、円弧面には多数の透孔が穿設されているとともに、前記第１フィルター部と連結する両側面には多数の縦長孔が穿設されている第２フィルター部とを備え、
前記環状平面板部が前記排水口の周囲面に載置されるとともに前記第１フィルター部が前記排水口に嵌入して配置されるようにしたことを特徴とする詰まり無しストレーナー。
【請求項４】
排水口の周囲面に載置される円環状の平面板で形成された環状平面板部と、
前記排水口より小さな外形を有し、前記環状平面板部より下位に窪み、球面状の窪みとして形成され多数の透孔が穿設された第１フィルター部と、
前記環状平面板部より上位に突出し、前記環状平面板部の一側部に四半円球面状に突出するように形成され、多数の透孔が穿設されているとともに、前記第１フィルター部に連結する湾曲側面に多数の縦長孔が穿設されている第２フィルター部とを備え、
前記環状平面板部が前記排水口の周囲面に載置されるとともに前記第１フィルター部が前記排水口に嵌入して配置されるようにしたことを特徴とする詰まり無しストレーナー。